(57)【特許請求の範囲】
【請求項１】
掘削した杭孔内部に、複数本の高強度より線を吊り下ろし、コンクリートを打設してコンクリート杭を構築する方法であって、
高強度より線群と、その先端を拘束する定着用プレートを杭孔内部に吊り下ろし、
この定着用プレートを、トレミー管によって押し下げることによって高強度より線の鉛直性、直線性を確保し、
その後にコンクリートを打設して行う、
高強度より線を用いたコンクリート杭の施工方法。
【請求項２】
トレミー管は、その下端を定着用プレートに取り付け、
その上部を把持し、
この把持部に押し込み力を作用させることによって、
定着用プレート、および高強度より線の鉛直性、直線性を確保して行う、
請求項１に記載の高強度より線を用いたコンクリート杭の施工方法。
【請求項３】
定着用プレートを、トレミー管によって押し下げることによって高強度より線の鉛直性、直線性を確保し、
その後にコンクリートを打設し、
コンクリートの重量が一定量以上、定着用プレート上に加わった後に、
トレミー管を定着用プレートから取り外して引上げつつ、コンクリートを継続して打設して行う、
請求項１に記載の高強度より線を用いたコンクリート杭の施工方法。
【請求項４】
定着用プレートにすべての高強度より線を一度に取り付け、
その後に定着用プレートを杭孔に吊り下ろして行う、
請求項１に記載の高強度より線を用いたコンクリート杭の施工方法。
【請求項５】
定着用プレートは吊り下ろさない状態で、プレートの挿通孔を介して高強度より線を一本づつ杭孔内部に吊り下ろし、
すべての高強度より線を孔底まで吊り下ろした後、
定着用プレートを孔底まで吊り下ろし行う、
請求項１に記載の高強度より線を用いたコンクリート杭の施工方法。
【請求項６】
定着用プレートを、トレミー管によって押し下げることによって高強度より線群の鉛直性、直線性を確保した後、
高強度より線群で包囲された空間の内部に、
一定の間隔を維持した帯鉄筋群を吊り下げ、
その後にコンクリートを打設して行う、
請求項１に記載の高強度より線を用いたコンクリート杭の施工方法。
【発明の詳細な説明】
【０００１】
【発明の属する技術分野】
本発明は、場所打杭を打設する際の、鉄筋先行建込みによる高強度より線を用いたコンクリート杭の施工方法に関する。
【０００２】
【従来の技術】
場所打杭の造成は、掘削した杭孔内部に、複数本の鉄筋を配置し、コンクリートを打設してコンクリート杭を構築する方法である。
しかし場所打杭施工現場の上部空間が少なく、更に、狭隘な場所で作業を行う場合においては、鉄筋の建込み及び帯鉄筋の取付けは、限られた空間内で作業しなければならないため、ジョイント箇所を多くして施工しなければならず、作業効率が悪いばかりでなく、その品質にも悪影響を与えるという問題があった。
【０００３】
この問題を解決するため、高強度より線を用いたコンクリート杭の施工方法があるが、以下の問題が発生する。
▲１▼杭孔への高強度より線の挿入方法
高強度より線は、異径鉄筋に比べて大きな可撓性を有するが、狭隘な場所で杭孔に高強度より線を挿入する場合、小さな曲率で挿入させるために大きな力を要し、作業時間がかかる他、作業に手間と熟練を必要とする。
▲２▼高強度より線の鉛直性、直線性の確保
高強度より線を用いたコンクリート杭の施工方法においては、高強度より線の鉛直性を保持する方法として、鋼管を杭孔全長にわたって挿入し、その上下端を固定することにより鉛直性を確保している。
しかしこの方法では、鋼管を用いることからコストがかかり、設計上必要とする鋼材量以上の鋼材を配置しなければならず、不経済である。
▲３▼剪断補強筋の配置
鋼管を用いず、剪断補強筋として帯鉄筋を用いる場合は、高強度より線が可撓性があり、帯鉄筋等の剪断補強筋の配置には、従来用いられる異径棒鋼等の剛性の高い鉄筋に比べて、その施工性が悪く、作業時間、手間がかかる。
【０００４】
【発明が解決しようとする課題】
本発明は、上記従来の問題点を解決するためになされたもので、簡単な方法により、作業性のよい、経済的な場所打杭を造成できる高強度より線を用いたコンクリート杭の施工方法を提供することを目的とする。
【０００５】
【課題を解決するための手段】
本発明は、掘削した杭孔内部に、複数本の高強度より線を吊り下ろし、コンクリートを打設してコンクリート杭を構築する方法であって、高強度より線群と、その先端を拘束する定着用プレートを杭孔内部に吊り下ろし、この定着用プレートを、トレミー管によって押し下げることによって高強度より線の鉛直性、直線性を確保し、その後にコンクリートを打設して行う、高強度より線を用いたコンクリート杭の施工方法である。
【０００６】
【発明の実施の形態１】
以下図面を参照しながら本発明の実施形態の一例について説明する。
【０００７】
＜イ＞全体構成
図１は、本発明による高強度より線を用いたコンクリート杭の施工方法の要部を示す斜視図である。
定着用プレート１に設けた挿通孔１ａに、高強度より線２を挿通させ、高強度より線２下端部に定着体３を固定させる。
全ての挿通孔１ａに高強度より線２を挿通後、定着用プレート１をトレミー管４により押し下げ、杭孔底部に着底させ、着底後トレミー管４を反力として高強度より線２を緊張させるものである。
【０００８】
＜ロ＞定着用プレート
定着用プレート１は、たとえば鋼材等で構成されたプレートであり、杭孔内を降下できる形状、寸法としている。
定着用プレート１周囲には、高強度より線２を挿通させる挿通孔１ａが所定ピッチに穿設されている。
更に、定着用プレート１中央部には、トレミー管４先端部の突出部４ａを定着用プレート１に係合させるための係合孔１ｂが穿設されている他、定着用プレート１が降下の際、水中において沈降が可能なように、多数の流通孔１ｃが穿設されている。
【０００９】
＜ハ＞高強度より線
通常使用されている可撓性の高強度より線２であり、高強度より線２を杭孔底部に着底後、コンクリート杭の長さに合わせて切断されるものである。
【００１０】
＜ニ＞定着体
定着体３は、高強度より線２の下端に定着用プレート１を固定させるための固定部品であり、たとえばワイヤークリップ等を使用してもよい。
【００１１】
＜ホ＞トレミー管
通常使用されている水中コンクリート打設のためのトレミー管４であり、トレミー管４、４同士をジョイントするための突出部４ａを、定着用プレート１に設けた係合孔１ｂに係合させるように利用している。
【００１２】
＜ヘ＞高強度より線引張装置
図２は、高強度より線引張装置５の全体構成の一例を示す側面図である。
高強度より線引張装置５は、地上に脚部５ａで支持された作業架台５ｂと、作業架台５ｂ上に設置された固定金具５ｃと、同じく作業架台５ｂ上に設置され、トレミー管４外周を把持し、トレミー管４を押し下げる油圧ジャッキ５ｄから構成されている。
【００１３】
【作用】
以下に、高強度より線を用いたコンクリート杭の施工方法を説明する。
【００１４】
＜イ＞高強度より線の取付け
図１において、高強度より線２を一本ずつ持ち込み、定着用プレート１の挿通孔１ａに挿通させ、その先端部に定着体３を固定させる。
（定着体３の固定は、全ての高強度より線２を挿通孔１ａに挿通後、まとめて固定してもよい。）
高強度より線２を一本ずつ挿入の際には、定着用プレート１の挿通孔１ａと同じピッチで作業架台５ｂ上に設置された固定金具５ｃ内に高強度より線２を挿入することにより、効率的な取付け作業とすることができる。（図２）
全ての高強度より線２を挿通孔１ａに挿通後、高強度より線２の先端を同じ高さにした状態で、定着用プレート１に取付ける。
【００１５】
＜ロ＞トレミー管による高強度より線の押し下げ
トレミー管４の突出部４ａを定着用プレート１の係合孔１ｂに係合させた後、トレミー管４を降下させ、その重量により全ての高強度より線２を杭孔内に同時に挿入させていく。
この時、定着用プレート１には多数の流通孔１ｃが穿設されているため、容易に降下させることができるものである。
【００１６】
＜ハ＞剪断補強筋の配置
剪断補強筋として、帯鉄筋７を使用する。
図３は帯鉄筋７を連結線８で連結した斜視図、図４は帯鉄筋７を高強度より線２に任意の方法で取り付けた斜視図、図５は帯鉄筋７を高強度より線２に沿って杭孔底部まで吊り下ろしている状態を示す側面図である。
帯鉄筋７は、高強度より線２に配置する間隔の長さごとに、連結線８（間隔保持材）で連結されており（図３、図４）、杭頭部へ搬入し、全体を吊り上げてから杭孔底部まで吊り下ろし、所定の位置に帯鉄筋７を配置するものである。（図５）
【００１７】
＜ニ＞高強度より線の緊張
高強度より線２が杭孔底部に到達後、図２に示す高強度より線引張装置５により、高強度より線２を緊張させる。
高強度より線２の緊張は、油圧ジャッキ５ｄの伸長によりトレミー管４を反力に用いて行われる。
即ち、高強度より線２はその先端部に取付けた定着体３と、定着用プレート１により拘束されており、トレミー管４を介して作業架台５ｂ上に設置された油圧ジャッキ５ｄを伸長することにより、トレミー管４を反力として緊張される。
高強度より線２の緊張により、その鉛直性、直線性が確保されることになる。
【００１８】
＜ホ＞底部コンクリートの打設
図６は、杭孔底部にコンクリート６を打設した状態を示す斜視図である。
前記により、高強度より線２が緊張され、その鉛直性、直線性が確保された後、その状態のままで杭孔底部に一定量のコンクリート６を打設する。
コンクリート６は係合孔１ｂ及び多数の流通孔１ｃを通過して定着用プレート１上に打設される。
高強度より線２は、定着用プレート１上に打設された一定量のコンクリート６重量により、定着用プレート１の浮き上がりは阻止され、緊張状態が保持されて高強度より線２の鉛直性、直線性が確保されることになる。
【００１９】
＜ヘ＞トレミー管の引上げ
図７は、トレミー管４を引上げながらコンクリート６を打設している状態を示す斜視図である。
杭孔底部にコンクリート６を打設したことにより、高強度より線２の鉛直性、直線性が確保されているため、トレミー管４上端部を拘束していた油圧ジャッキ５ｄを解放し、トレミー管４を引上げながら所定高さまでコンクリート６を打設していく。
【００２０】
【発明の実施の形態２】
以下に、本発明の他の実施形態について説明する。
【００２１】
図８は、本発明の他の実施形態を示す側面図である。
本実施の形態では、定着用プレート１を杭孔内に吊り下ろさない状態で、定着用プレート１の挿通孔１ａを介して、高強度より線２を一本づつ杭孔内部に吊り下ろし、全ての高強度より線２を孔底まで吊り下ろした後、トレミー管４を降下させることにより、定着用プレート１を孔底まで吊り下ろすものである。
定着用プレート１を孔底まで吊り下ろした後は、実施形態１と同様であるため説明は省略する。
【００２２】
【発明の効果】
本発明は以上説明したようになるから、次のような効果を得ることができる。＜イ＞鉄筋の建込み等、全て現場近くの地上で作業が行える。
＜ロ＞作業に使用する機器が小規模であるため、省スペースとなり、狭隘な場所での作業を可能にすることができる。
＜ハ＞剪断補強筋の組立てが容易となり、大幅な施工時間の短縮が可能である。
＜ニ＞鋼管を用いる等、従来工法に比べ材料費、工事費の削減ができる。
【図面の簡単な説明】
【図１】本発明による高強度より線を用いたコンクリート杭の施工方法の要部を示す斜視図。
【図２】高強度より線引張装置の全体構成の一例を示す側面図。
【図３】帯鉄筋を連結線で連結した斜視図。
【図４】帯鉄筋を高強度より線に任意の方法で取り付けた斜視図。
【図５】帯鉄筋を高強度より線に沿って杭孔底部まで吊り下ろしている状態を示す側面図。
【図６】杭孔底部にコンクリートを打設した状態を示す斜視図。
【図７】トレミー管を引上げながらコンクリートを打設している状態を示す斜視図。
【図８】他の実施形態を示す側面図。
【図１】
0003622173.tif 000002
【図２】
0003622173.tif 000003
【図３】
0003622173.tif 000004
【図４】
0003622173.tif 000005
【図５】
0003622173.tif 000006
【図６】
0003622173.tif 000007
【図７】
0003622173.tif 000008
【図８】
0003622173.tif 000009